(57)【要約】【課題】液体を収容する容器を備え、該容器内の前記液体を流動させることにより演出を行う遊技機において、簡易な構成で液体流動を制御できるようにすることを目的とする。【解決手段】液体３２０，３２５を収容する容器３０１を備え、該容器３０１内の液体３２０，３２５を流動させることにより演出を行うスロットマシン１は、ポンプ駆動用モータ２８からの動力で回転するインペラ５０３と、該インペラ５０３からの水流を噴出口４１１ａに案内する第１水路４１０ａと、インペラ５０３からの水流を噴出口４１１ｂに案内する第２水路４１０ｂと、放出口６００ｅが形成されたインペラカバー６００とを有し、ポンプ駆動用モータ２８が正回転の場合は放出口６００ｅが第２水路４１０ｂ側に移動するようにインペラカバー６００が回転し、ポンプ駆動用モータ２８が逆回転の場合は、放出口６００ｅが第１水路４１０ａ側に移動するようにインペラカバー６００が動く。【選択図】図１０
2019051005.tif 000002
【特許請求の範囲】
【請求項１】
液体を収容する容器を備え、該容器内の前記液体を流動させることにより演出を行う遊技機において、
モータからの動力に基づいて回転するインペラと、
前記インペラからの水流を第１噴出位置に案内する第１水路と、
前記インペラからの水流を前記第１噴出位置とは異なる第２噴出位置に案内する第２水路と、
導入口が形成された切替部材を有し、前記切替部材が前記インペラの回転に応じて動くことにより、前記インペラからの水流を前記導入口を介して前記第１水路および前記第２水路のいずれか一方に選択的に導く導流手段とを備え、
前記モータが正回転の場合は前記導入口が前記第１水路側に移動するように前記切替部材が動き、前記モータが逆回転の場合は、前記導入口が前記第２水路側に移動するように前記切替部材が動くことにより前記導入口の位置を切り替える
ことを特徴とする遊技機。
【請求項２】
前記導流手段は、前記切替部材を前記インペラ側に付勢する付勢部材をさらに有することを特徴とする請求項１に記載の遊技機。
【請求項３】
前記切替部材は、該切替部材と前記インペラとの隙間に前記液体を取り込む給水口が形成され、
前記付勢部材がばね部材で形成され、
前記給水口は前記導入口よりも大きく形成されていることを特徴とする請求項２に記載の遊技機。
【請求項４】
前記導流手段は、前記モータが正回転の場合は、前記導入口が前記第１水路側の所定位置で停止するように前記切替部材の動きを規制するとともに、前記モータが逆回転の場合は、前記導入口が前記第２水路側の特定位置で停止するように前記切替部材の動きを規制する導入口固定部材をさらに有することを特徴とする請求項１ないし３のいずれか１項に記載の遊技機。
【発明の詳細な説明】
【技術分野】
【０００１】
本発明は、液体を収容する容器を備え、該容器内の前記液体を流動させることにより演出を行う遊技機に関する。
【背景技術】
【０００２】
遊技機として、スロットマシンや、パチンコ遊技機などがある。この種の遊技機において、容器内に液体を収容し、液体を流動させることにより、チャンス示唆等の演出を行うものがある（例えば特許文献１）。
【０００３】
特許文献１に開示されている遊技機では、容器の底板の複数箇所に形成された放出口から気泡を放出させる。放出された気泡は容器内の上部に移動することから、液体流が発生する。この液体流により容器内に配設された可動役物を動かし演出を行う。可動役物の移動は、気泡の放出位置および放出量により制御される。
【先行技術文献】
【特許文献】
【０００４】
【特許文献１】特開２０１２−１６６００７号公報（段落００２３−００３３、００３７、図５など）
【発明の概要】
【発明が解決しようとする課題】
【０００５】
しかしながら、特許文献１に記載の遊技機では、液体の流動の制御を行うのに、各放出口ごとに電磁弁とこれらの電磁弁の開閉制御が必要となり、遊技機のコストが増加する。
【０００６】
本発明は、上記課題に鑑みてなされたものであり、液体を収容する容器を備え、該容器内の前記液体を流動させることにより演出を行う遊技機において、簡易な構成で液体流動を制御できるようにすることを目的とする。
【課題を解決するための手段】
【０００７】
上記した目的を達成するために、本発明にかかる遊技機は、液体を収容する容器を備え、該容器内の前記液体を流動させることにより演出を行う遊技機において、モータからの動力に基づいて回転するインペラと、前記インペラからの水流を第１噴出位置に案内する第１水路と、前記インペラからの水流を前記第１噴出位置とは異なる第２噴出位置に案内する第２水路と、導入口が形成された切替部材を有し、前記切替部材が前記インペラの回転に応じて動くことにより、前記インペラからの水流を前記導入口を介して前記第１水路および前記第２水路のいずれか一方に選択的に導く導流手段とを備え、前記モータが正回転の場合は前記導入口が前記第１水路側に移動するように前記切替部材が動き、前記モータが逆回転の場合は、前記導入口が前記第２水路側に移動するように前記切替部材が動くことにより前記導入口の位置を切り替えることを特徴としている。
【０００８】
この構成によると、１つのモータの正逆回転により、インペラからの水流を第１水路か第２水路かに選択的に導くことができるため、液体を第１噴出位置から噴出させるか第２噴出位置から噴出させるかを制御するのに、それぞれの噴出位置用に電磁弁や電磁弁の開閉制御などの駆動機構を設ける必要ない。したがって、容器内の前記液体を流動させることにより演出を行う遊技機において、簡易な構成で液体流動を制御できる。
【０００９】
また、前記導流手段は、前記切替部材を前記インペラ側に付勢する付勢部材をさらに有していてもよい。
【００１０】
この構成によると、インペラと切替部材とを付勢部材により接触させることができるため、インペラの回転を動力として導入口の位置の切り替えを行うことができる。
【００１１】
また、前記切替部材は、該切替部材と前記インペラとの隙間に前記液体を取り込む給水口が形成され、前記付勢部材がばね部材で形成され、前記給水口は前記導入口よりも大きく形成されていてもよい。
【００１２】
この構成によると、インペラの回転により切替部材とインペラとの隙間に供給される液体の量よりも、導入口から放出される液体の量が少なくなるため、インペラの回転に伴って当該隙間の圧力が高くなる。この圧力が、付勢部材が切替部材をインペラ側に付勢する力に対する抗力を生み出すため、インペラの回転に伴ってインペラと切替部材とが接触しなくなるか、あるいは、両者の摩擦力を抑えることができる。そのため、モータへの負荷が軽減されるとともに、インペラと切替部材の耐久性が向上する。
【００１３】
また、前記導流手段は、前記モータが正回転の場合は、前記導入口が前記第１水路側の所定位置で停止するように前記切替部材の動きを規制するとともに、前記モータが逆回転の場合は、前記導入口が前記第２水路側の特定位置で停止するように前記切替部材の動きを規制する導入口固定部材をさらに有していてもよい。
【００１４】
この構成によると、モータの回転中であっても、導入口の位置が固定されるため、インペラからの水流を第１水路側に導くのか、第２水路側に導くのかの切り替えを容易に行うことができる。
【図面の簡単な説明】
【００１５】
【図１】本発明の第１実施形態にかかる遊技機の一例であるスロットマシンの斜視図である。
【図２】図１の水槽デバイスを正面から見た概略図である。
【図３】図１の水槽デバイスを背面から見たときの概略斜視図である。
【図４】図１の容器本体を正面から見た図である。
【図５】図２のＡ−Ａ矢視断面図である。
【図６】図５の要部拡大図である。
【図７】図２の水槽デバイスのポンプ演出ユニットの駆動部分を説明するための図であり、（ａ）は駆動部分の斜視図、（ｂ）はインペラの羽根部形成面と反対側の面側から見たときの斜視図である。
【図８】インペラカバーの斜視図であり、（ａ）はカバー体に近い外側から見たときの斜視図、（ｂ）はインペラに近い内側から見たときの斜視図である。
【図９】カバー体の斜視図であり、（ａ）はインペラカバーから遠い外側から見たときの斜視図、（ｂ）はインペラカバーから近い内側から見たときの斜視図である。
【図１０】水流の切り替え機構を説明するための図であり、（ａ）はポンプ駆動用モータが正回転の場合を説明するための図、（ｂ）は逆回転の場合を説明するための図である。
【図１１】図１のスロットマシンの電気的構成を示すブロック図である。
【図１２】図１１のメイン制御基板およびサブ制御基板の機能を示す機能ブロック図である。
【図１３】本発明の第２実施形態にかかる水流の切り替え機構を示す図である。
【図１４】図１３の要部拡大図である。
【図１５】図１３のインペラの斜視図であり、（ａ）はインペラの羽根部形成面側から見たときの斜視図、（ｂ）はインペラの羽根部形成面と反対側の面側から見たときの斜視図である。
【図１６】図１３のインペラカバーの斜視図であり、（ａ）はカバー体に近い外側から見たときの斜視図、（ｂ）はインペラに近い内側から見たときの斜視図である。
【図１７】図１３のばね部材を説明するための図である。
【発明を実施するための形態】
【００１６】
＜第１実施形態＞
本発明の第１実施形態について、図１から図１２を参照して説明する。
【００１７】
（構成）
この実施形態に係る遊技機の一例であるスロットマシン１は、予め設定された複数の遊技状態のうちのいずれかの遊技状態において、メダルなどの遊技媒体が規定数（例えば、３枚）投入され、後述するスタートスイッチ１９が操作されることを条件に一回の遊技が実行開始されるものであり、図１のように構成されている。
【００１８】
筐体３の前面は、前面扉５により開閉自在に閉塞され、この前面扉５のほぼ中央高さの位置に操作板７が配設される。操作板７の上方に正面板９が配設されている。正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。左・中・右リール１３Ｌ，１３Ｍ，１３Ｒには、例えば、複数種類の図柄が合計２０個、所定の配列でそれぞれ設けられている。
【００１９】
また、各図柄には、０番から１９番までのコマ番号が順に付されている。この場合、例えば、コマ番号０番から１９番までの図柄が印刷されたリールテープが各リール１３Ｌ，１３Ｍ，１３Ｒの周面に貼り付けられている。そして、各リール１３Ｌ，１３Ｍ，１３Ｒが回転すると、コマ番号１９番、１８番、…、０番、１９番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、この実施形態では、入賞判定に使用される表示窓１１内の入賞ラインとして、左リール１３Ｌの下段、中リール１３Ｍの下段、右リール１３Ｒの下段により構成されるいわゆる下段ラインが設定されている。
【００２０】
また、各リール１３Ｌ，１３Ｍ，１３Ｒを独立して回転駆動できるように、各リール１３Ｌ，１３Ｍ，１３Ｒそれぞれには、ステッピングモータで構成されるリールモータ１４Ｌ，１４Ｍ，１４Ｒ（図１１参照）が連結されている。なお、各リール１３Ｌ，１３Ｍ，１３Ｒと各々のリールモータ１４Ｌ，１４Ｍ，１４Ｒとで構成されたリールユニット（図示省略）によりスロットマシン１の表示手段が構成されている。
【００２１】
更に、操作板７には、内部に貯留されているクレジットメダルから１枚ずつのメダル投入を指示するためのベットスイッチ１５、クレジットメダルから１ゲーム（遊技）あたりの最大投入枚数（ここでは３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ（停止操作手段）、クレジットメダルを払い出すための精算スイッチ２３、およびメダル投入口２５が設けられている。なお、この実施形態では、１ゲームに必要なメダル投入数（規定数）は、３枚の１種類が設定されている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２２】
また、正面板９の上方のほぼ中央には、後述する液晶表示器２７の表示内容と一体となって、または、独立して演出を行う水槽デバイス２８０が設けられている。
【００２３】
水槽デバイス２８０には、図２に示すように、容器３０１と、容器３０１内に収容された２種類の液体３２０，３２５が設けられている。また、水槽デバイス２８０には、図２に示すように、ポンプ演出ユニット３５０が容器３０１内に収容されている。なお、図２では、ポンプ演出ユニット３５０は容器３０１の前面蓋３０３（図５参照）の背後に配置されているが、図の簡略化のためポンプ演出ユニット３５０は実線で示している。
【００２４】
ポンプ演出ユニット３５０は、図３に示すように、容器３０１の後述する容器本体３０２の背板３０２ａ側に設けられたポンプ演出駆動部３７０を備える。
【００２５】
容器３０１は、図３〜図５に示すように、前方側が開放された略矩形箱型の容器本体３０２と、該容器本体３０２を閉塞する略矩形板状の前面蓋３０３と、容器本体３０２との間で前面蓋３０３を挟持することにより前面蓋３０３を固定する枠体３０４とを備え、容器本体３０２が前面蓋３０３に閉塞されることにより内部空間が形成される。なお、前面蓋３０３と容器本体３０２とは容器３０１の内部空間が容器３０１外部から視認可能となるように例えばポリカーボネートなどの無色透明の合成樹脂により形成されている。ただし、前面蓋３０３と容器本体３０２とは容器３０１の内部空間が容器３０１外部から視認可能であれば無色透明に限定されるものではなく有色透明の材料により形成されていてもよい。
【００２６】
容器本体３０２は、前面蓋３０３と略平行に対向配置される矩形状の背板３０２ａと、背板３０２ａの周縁から前面蓋側に向かって延在する側板３０２ｂと、側板３０２ｂの外側面（液体が接する面と反対側の面）に形成されたフランジ部３０２ｃとを有する。フランジ部３０２ｃには、枠体３０４を固定するためのねじ穴３０５が所定間隔で形成される。
【００２７】
背板３０２ａには、スロットマシン１を前方から見たときの右下部の領域に、後述するインペラ５０３と、該インペラ５０３を覆うインペラカバー６００を配置するための嵌合凹部３０６が形成される（図４〜図６参照）。嵌合凹部３０６の開口と底面３０６ａはいずれも円形に形成されるとともに、その深さはインペラカバー６００の一部が容器３０１の収納空間側に突出する程度の深さで形成される。嵌合凹部３０６の底面３０６ａの中心には支持軸３０６ｂが立設される。支持軸３０６ｂは、インペラ５０３の貫通孔５０３ｃに挿通し、インペラ５０３の回転軸を形成する。
【００２８】
さらに、背板３０２ａにおける該嵌合凹部３０６の外側には、該嵌合凹部３０６に沿って湾曲した囲み板４００が設けられ、該囲み板４００によりインペラカバー６００の嵌合凹部３０６から突出した部分の一部が囲まれる。また、容器３０１の液体３２０、３２５を収容する収容空間には、図４に示すように、容器３０１を正面から見たときに、嵌合凹部３０６の開口（円形）の周線のうち、左下の領域付近を入口として、容器３０１の下部の中央を出口（噴出口４１１ａ）とする第１水路４１０ａと、嵌合凹部３０６の開口（円形）の周線のうち、右下の領域付近を入口として、容器３０１の下部の左側を出口（噴出口４１１ｂ）とする第２水路４１０ｂとが設けられる。第１水路４１０ａと第２水路４１０ｂとは、背板３０２ａに固定されている。また、第１水路４１０ａおよび第２水路４１０ｂの入口は、いずれも囲み板４００と滑らかに繋がって一体化されている。また、囲み板４００、第１水路４１０ａ、第２水路４１０ｂは、後述するカバー体４２０により閉塞され、インペラ５０３の回転により発生する水流が第１水路４１０ａか第２水路４１０ｂのいずれかに流れるようになっている。
【００２９】
容器３０１内に収容された２種類の液体３２０，３２５は互いに比重が異なっている。この比重の違いにより、比重が大きい方の液体（特定液体）３２０が沈殿することによって容器３０１内の下側に比重が大きい方の液体３２０の液層が形成されるとともに、容器３０１内の上側に比重が小さい方の液体３２５の液層が形成される（図２参照）。この実施形態では、比重が大きい方の液体３２０を有色透明な液体とし、比重が小さい方の液体３２５を無色透明な液体とするが、これに限定されるものではない。なお、以下では、比重が大きい方の液体３２０を「下層液体３２０」と呼び、比重が軽い方の液体３２５を「上層液体３２５」と呼ぶ。
【００３０】
インペラ５０３は、図７に示すように、円盤部５０３ａと、複数の羽根部５０３ｂとを備える。円盤部５０３ａの中心には、支持軸３０６ｂの挿通用の貫通孔５０３ｃが設けられる。各羽根部５０３ｂは、円盤部５０３ａの一方面に凸設されるとともに、周方向に略等間隔で配列される。また、円盤部５０３ａの隣接する羽根部５０３ｂの間それぞれには、磁石５０３ｅを配設するための貫通孔５０３ｄが形成され、該貫通孔５０３ｄに円柱状の磁石５０３ｅが嵌め込まれて固定される。なお、インペラ５０３は、他方面が容器本体３０２に設けられた嵌合凹部３０６の底面３０６ａに当接するように、嵌合凹部３０６に嵌め込まれ、インペラ５０３が支持軸３０６ｂを中心に回転すると、各羽根部５０３ｂも回転し水流が形成される。
【００３１】
ポンプ演出駆動部３７０が備えるポンプ駆動用モータ２８および駆動マグネット部５０４は、容器３０１の外側に配設される。駆動マグネット部５０４は、インペラ５０３の円盤部５０３ａと略同形状の駆動円盤部５０４ａを有する。駆動円盤部５０４ａには、周方向に等間隔で複数の貫通孔５０４ｂが形成され、これらの貫通孔５０４ｂに円柱状の磁石５０４ｃが嵌め込まれて固定される。また、駆動円盤部５０４ａの中心にはポンプ駆動用モータ２８用の挿通孔５０４ｄ（図５、図６参照）が形成されており、ポンプ駆動用モータ２８の回転軸２８ａに駆動マグネット部５０４が取り付けられる。これにより、回転軸２８ａの回転に伴って駆動マグネット部５０４が回転する。駆動マグネット部５０４は、容器本体３０２の背板３０２ａを挟んでインペラ５０３の円盤部５０３ａと重なる位置に配置される。
【００３２】
なお、インペラ５０３に配設された磁石５０３ｅの駆動マグネット部５０４に配設された磁石５０４ｃと対向する側の磁石の極性と、駆動マグネット部５０４に配設された磁石５０４ｃのインペラ５０３に配設された磁石５０３ｅに対向する側の磁石の磁性とは、この実施形態では逆極性の関係にある。したがって、駆動マグネット部５０４が回転すると、支持軸３０６ｂを中心として、容器３０１の内部空間に配設されたインペラ５０３が駆動マグネット部５０４と同じ方向で回転する。なお、ポンプ駆動用モータ２８は、例えば、ＤＣモータ、ＡＣモータ、ステッピングモータ等で形成することができる。
【００３３】
インペラカバー６００（本発明の「切替部材」に相当）は、円筒状部６００ａと、該円筒状部６００ａの一方口を閉塞するように設けられた閉塞部６００ｂとを有する。円筒状部６００ａは、インペラ５０３を収納可能なように、インペラ５０３の円盤部５０３ａの径よりも若干大径に形成される。また、インペラカバー６００は、円筒状部６００ａがインペラ５０３を囲み、閉塞部６００ｂがインペラ５０３の円盤部５０３ａの一方面（羽根部５０３ｂ側の面）に対向するようにインペラ５０３に装着される。
【００３４】
また、閉塞部６００ｂの中心には、インペラカバー６００とインペラ５０３との隙間に下層液体３２０を供給するための円形の供給口６００ｃ（本発明の「給水口」に相当）が形成される。閉塞部６００ｂの外側面（インペラ５０３との対向面と反対側の面）の周縁には、約２４０°に亘って段差路６００ｇが設けられている（図８（ａ）参照）。この段差路６００ｇは、インペラカバー６００の回転範囲を規定するものであり、詳しくは後述する。さらに、閉塞部６００ｂのインペラ５０３との対向面には、複数のカバー側羽根部６００ｄが形成される（図８（ｂ）参照）。また、円筒状部６００ａの所定位置に矩形状の放出口６００ｅ（本発明の「導入口」に相当）が形成され、供給口６００ｃから供給された下層液体３２０を当該放出口６００ｅから、第１水路４１０ａの入り口または第２水路４１０ｂの入り口に放出できるようになっている。
【００３５】
カバー体４２０は、インペラ５０３に装着されるインペラカバー６００と、第１水路４１０ａおよび第２水路４１０ｂをまとめて覆うものであり、インペラカバー閉塞部４２０ａと、第１水路閉塞部４２０ｂと、第２水路閉塞部４２０ｃとを有する。インペラカバー閉塞部４２０ａには、インペラカバー６００の供給口６００ｃとの対向領域に円形の供給口４２０ｄが形成され、インペラカバー６００がカバー体４２０に覆われた状態でも、インペラカバー６００の供給口６００ｃから下層液体３２０を供給できるようになっている。また、インペラカバー閉塞部４２０ａの内側面（インペラカバー６００との対向面）には、規制ピン４２０ｅ（本発明の「導入口固定部材」に相当）が形成される。この規制ピン４２０ｅは、インペラカバー６００にカバー体４２０を装着したときに、インペラカバー６００の外側面に形成された段差に位置するように配設されており、インペラカバー６００が回転した際、段差路６００ｇの両端それぞれで規制ピン４２０ｅが当接し、それ以上のインペラカバー６００の回転が規制されるようになっている。
【００３６】
なお、カバー体４２０の装着した状態では、インペラカバー閉塞部４２０ａの供給口４２０ｄが、インペラカバー６００の供給口６００ｃの外側に形成された円形のリブ６００ｆに嵌合する（図５参照）。したがって、インペラ５０３の回転にともなってインペラカバー６００が回転した場合でも、インペラ５０３とインペラカバー６００の回転軸がずれない。
【００３７】
次に、図１０を参照して、インペラ５０３の回転により発生する水流を、第１水路４１０ａに導く過程（図１０（ｂ））と、第２水路４１０ｂ（図１０（ａ））に導く過程について説明する。
【００３８】
まず、ポンプ駆動用モータ２８が時計回り（正回転）で回転した場合について図１０（ａ）を参照して説明する。ポンプ駆動用モータ２８が時計回りで回転した場合、当該モータ２８の回転軸２８ａに取り付けられた駆動マグネット部５０４も時計回りに回転する。駆動マグネット部５０４には周方向に複数の磁石５０４ｃが固定されているため、インペラ５０３に固定された磁石５０３ｅと、駆動マグネット部５０４に固定された磁石５０４ｃとの吸引／反発作用により、容器本体３０２の背板３０２ａを挟んで配置されたインペラ５０３も時計回りに回転する。
【００３９】
インペラ５０３が時計周りに回転すると、インペラ５０３の羽根部５０３ｂにより、インペラ５０３とインペラカバー６００との隙間にある下層液体３２０も時計回りに流動し、この流動をインペラカバー６００のカバー側羽根部６００ｄが受けてインペラカバー６００も時計回りに回転する。
【００４０】
インペラカバー６００が時計回りに回転すると、インペラカバー６００の閉塞部６００ｂの周縁に設けられた段差路６００ｇの一方端部がカバー体４２０の規制ピン４２０ｅに当たってそれ以上のインペラカバー６００の回転が規制される。これにより、インペラカバー６００の放出口６００ｅは、第２水路４１０ｂの入り口付近で停止する。
【００４１】
また、インペラカバー６００の回転が規制されている状態であっても、インペラ５０３の回転は継続するため、インペラカバー６００の供給口６００ｃから取り込まれた下層液体３２０が、放出口６００ｅから放出され、第２水路４１０ｂの入口に下層液体３２０が供給され続けることになる。つまり、インペラ５０３の回転により発生した水流が第２水路４１０ｂに導かれて、下層液体３２０が噴出口４１１ｂから噴出する。
【００４２】
次に、ポンプ駆動用モータ２８が反時計回り（逆回転）で回転した場合について図１０（ｂ）を参照して説明する。ポンプ駆動用モータ２８が反時計回りで回転した場合、当該モータ２８の回転軸２８ａに取り付けられた駆動マグネット部５０４も反時計回りに回転する。駆動マグネット部５０４には周方向に複数の磁石５０４ｃが固定されているため、インペラ５０３に固定された磁石５０３ｅと、駆動マグネット部５０４に固定された磁石５０４ｃとの吸引／反発作用により、容器本体３０２の背板３０２ａを挟んで配置されたインペラ５０３も反時計回りに回転する。
【００４３】
インペラ５０３が反時計周りに回転すると、インペラ５０３の羽根部５０３ｂにより、インペラ５０３とインペラカバー６００との隙間にある下層液体３２０も反時計回りに流動し、この流動をインペラカバー６００のカバー側羽根部６００ｄが受けてインペラカバー６００も反時計回りに回転する。
【００４４】
インペラカバー６００が反時計回りに回転すると、インペラカバー６００の閉塞部６００ｂの周縁に設けられた段差路６００ｇの他方端部がカバー体４２０の規制ピン４２０ｅに当たってそれ以上のインペラカバー６００の回転が規制される。これにより、インペラカバー６００の放出口６００ｅは、第１水路４１０ａの入口付近で停止する。
【００４５】
また、インペラカバー６００の回転が規制されている状態であっても、インペラ５０３の回転は継続するため、インペラカバー６００の供給口６００ｃから取り込まれた下層液体３２０が、放出口６００ｅから放出され、第１水路４１０ａの入口に下層液体３２０が供給され続けることになる。つまり、インペラ５０３の回転により発生した水流が第１水路４１０ａに導かれて、下層液体３２０が噴出口４１１ａから噴出する。
【００４６】
以上のように、ポンプ駆動用モータ２８が時計回り（正回転）で回転した場合は、放出口６００ｅが第２水路４１０ｂの入口側に移動するように、インペラカバー６００が回転し、反時計周り（逆回転）で回転した場合は、放出口６００ｅが第１水路４１０ａの入口側に移動するように、インペラカバー６００が回転することにより、放出口６００ｅの位置が切り替えられる。
【００４７】
図１の説明に戻る。スロットマシン１の前方側から視認される表示領域を有する液晶表示器２７が、水槽デバイス２８０の後方側に配置されている。液晶表示器２７の表示領域のうちの下側の第１表示領域の表示内容がスロットマシン１の前方側から水槽デバイス２８０の容器３０１内の下層側の液体（比重が大きい液体：下層液体３２０）を介して視認可能なように、かつ、その表示領域のうちの上側の第２表示領域の表示内容がスロットマシン１の前方側から水槽デバイス２８０の容器３０１内の上層側の液体（比重が小さい液体：上層液体３２５）を介して視認可能なようになっている。この液晶表示器２７は、動画などを表示して遊技者に当選や入賞などを告知したり、各ストップスイッチ２１Ｌ，２１Ｍ，２１Ｒの操作態様を報知したりする演出を行ったり、スロットマシン１にエラーが発生した場合にエラーの発生を報知するためのものである。ただし、液晶表示器２７の表示領域における第１表示領域および第２表示領域の位置は、下層液体３２０の液面が波うった場合には変化することになる。
【００４８】
また、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００４９】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダルのメダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００５０】
また、クレジット表示器４５の下方には、入賞時のメダルの払出枚数を表示するためのペイアウト表示器４６が配設される。このペイアウト表示器４６は、クレジット表示器４５と同様、２個の７セグメントＬＥＤで構成されている。なお、ペイアウト表示器４６は、エラー情報の表示に兼用される。
【００５１】
また、正面板９の表示窓１１の下方には、左ストップスイッチ２１Ｌ，中ストップスイッチ２１Ｍ，右ストップスイッチ２１Ｒを操作する順番や、役抽選の結果など、メイン制御基板６３（図１１、図１２参照）の制御に関する情報を報知（表示）するための報知用表示器６０が配設されている。報知用表示器６０は、例えば２個の７セグメントＬＥＤを備えている。したがって、両７セグメントＬＥＤそれぞれが有する各セグメントの点灯態様を変化させることによって、例えば、各ストップスイッチ２１Ｌ，２１Ｍ，２１Ｒの操作順序や操作タイミングなどの操作様態を報知できるように構成されている。
【００５２】
また、各リール１３Ｌ，１３Ｍ，１３Ｒを支持する支持枠体が、筐体３内の後壁に固定されている。筐体３内の支持枠体の下方には、メダルをメダル払出口３９に排出するためのホッパーユニット４３（図１１参照）が配設されている。また、メダル投入口２５付近の裏面側には、メダル投入口２５に投入されたメダルが正規のものか否かを選別して正規のメダルのみをホッパーユニット４３に導くメダルセレクタ４８（図１１参照）が配設されている。また、スロットマシン１の正面から見てホッパーユニット４３の左側には、操作ボックス４９（図１１参照）が筐体３内の左側壁に固定されている。この操作ボックス４９には、電源のＯＮ、ＯＦＦを切り換える電源スイッチ５０（図１１参照）が設けられるとともに、設定変更処理用のキーシリンダからなる変更処理開始スイッチ５６（図１１参照）、設定変更時の設定値の切り換えを行うのに用いられるリセットスイッチ５２（図１１参照）が設けられている。なお、リセットスイッチ５２は、エラーが発生した際のエラー解除や、許容状態滞在比率を表示するためのスイッチとしても用いられる。
【００５３】
図１１の投入センサ５３が、筐体３内部のメダル投入口２５近傍であってメダルセレクタ４８部分に設けられ、メダル投入口２５に投入されたメダルを１枚ずつ検出する。払出センサ５４が、ホッパーユニット４３の出口に設けられ、メダル払出口３９に払い出されるメダルを１枚ずつ検出する。
【００５４】
図１１の左・中・右位置センサ５５Ｌ，５５Ｍ，５５Ｒは、左・中・右リール１３Ｌ，１３Ｍ，１３Ｒの回転位置をそれぞれ検出するもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号１９番の図柄が表示窓１１の中段に位置するように構成されている。
【００５５】
図１１のホッパーモータ５７は、ホッパーユニット４３に配設されて、その駆動によりメダルをメダル払出口３９に向けて払い出す。
【００５６】
図１１の許容状態報知ランプ８０は、スロットマシン１の状態が、ＡＴ遊技を許容する状態（ＡＴ許容状態）であることを報知するためのもので、例えば、ＬＥＤランプで形成されている。この実施形態では、ＡＴ許容状態のときは許容状態報知ランプ８０が点灯され、ＡＴ非許容状態のときは消灯される。なお、許容状態報知ランプ８０として、遊技者からも確認できるように、例えば、ペイアウト表示器４６のドット部分を用いてもよく、クレジット表示器４５のドット部分を用いてもよく、報知用表示器６０のドット部分を用いてもよく、別のランプ部材を用いてもよい。
【００５７】
図１１の扉センサ（扉開閉検知用センサ）８５は、筐体３に配設され、前面扉５が開状態にあるか、閉状態にあるかを検知するものであり、検知信号をメイン制御基板６３に出力する。扉センサ８５は、例えば、接触センサにより構成されている。接触センサは、前面扉５が閉じている場合に前面扉５の背面と接触センサの前面とが近接することによりオン状態（ＯＮ状態）となり、前面扉５が開放するに従って前面扉５の背面が接触センサの前面から離間してオフ状態（ＯＦＦ状態）となり、前面扉５の開閉を検知することができる。なお、扉センサ８５は、接触センサに限定されるものではなく、光センサや磁気センサなど、前面扉５の開閉を検知することができるようなものであればよい。
【００５８】
また、スロットマシン１には、図１１に示すように、遊技の進行に関する制御を行うメインＣＰＵ６１が実装されたメイン制御基板６３と、メイン制御基板６３から送信された情報に基づき遊技の進行に合わせた演出の制御を行うサブＣＰＵ７１が実装されたサブ制御基板７３とが別々に設けられ、メイン制御基板６３からサブ制御基板７３に対して一方向に各種のデータが送信される。なお、メイン制御基板６３は、外部から不正にアクセスすることができないように、基板ケース内に厳重に封印されている。また、基板ケースには、不正に解放されたことを確実に視認することができるように、種々の対策が講じられている。
【００５９】
また、図１１に示すように、メイン制御基板６３のＲＡＭ６５は、メインＣＰＵ６１内部の記憶容量であり、スロットマシン１の遊技状態などの遊技に関するデータを一時的に記憶するものである。また、図１１に示すように、メイン制御基板６３のＲＯＭ６７は、メインＣＰＵ６１内部の記憶容量であり、図１２に示す予め設定されたデータである役抽選テーブル６７１、停止テーブル６７２などを含むスロットマシン１用のプログラム（遊技機用プログラム）を格納する。
【００６０】
メイン制御基板６３のメインＣＰＵ６１は、タイマ割込などの割込機能を有し、ＲＯＭ６７に記憶された遊技機用プログラムを実行することにより、遊技の進行に関する処理を行う。このメインＣＰＵ６１は、役抽選結果に関するデータ、各ストップスイッチ２１Ｌ，２１Ｍ，２１Ｒ、スタートスイッチ１９などの遊技者により操作される操作器具の操作に関するデータなどの種々のデータを、所定のコマンド形式でサブ制御基板７３（サブＣＰＵ７１）に送信する。
【００６１】
サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種のデータ（役抽選手段１０３による役抽選処理における役抽選結果、各ストップスイッチ２１Ｌ，２１Ｍ，２１Ｒ、スタートスイッチ１９などの操作器具が操作されたか、などに関するデータ）に基づいてメモリ７５に格納されたプログラムを実行し、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７、水槽デバイス２８０、スピーカ３１Ｌ，３１Ｒなどの演出機器の制御を行う。
【００６２】
（メイン制御基板）
次に、メイン制御基板６３について、図１２を参照して詳細に説明する。図１２に示すように、メイン制御基板６３は、ＲＯＭ６７に格納されたプログラムを実行することにより実現される種々の機能や、ハードウェアが制御されることにより実現される種々の機能を備えている。
【００６３】
（１）遊技制御手段１００
図１２の遊技制御手段１００は、予め設定された複数の遊技状態のうちのいずれかの遊技状態においてスロットマシン１の遊技を制御するものである。具体的には、遊技制御手段１００は、通常遊技状態において一般的な遊技を実行し、これらの遊技状態よりも遊技者に有利な予め定められた１または複数のボーナス役の入賞により移行するボーナス遊技状態においてボーナス遊技を実行する。ボーナス遊技状態は、入賞したボーナス役の種類に応じた終了条件（たとえば、終了条件はＡＴ非許容状態中、ＡＴ許容状態中のいずれでも払出枚数が規定数の２００枚を超えること）が定められており、遊技制御手段１００は、その種類に応じた終了条件が成立したときにボーナス遊技状態を終了する。
【００６４】
また、ボーナス遊技状態での遊技であるボーナス遊技とは異なる遊技者に有利な遊技として、後述する役抽選手段１０３の役抽選により、各ストップスイッチ２１Ｌ，２１Ｍ，２１Ｒの操作手順によって遊技者に付与する有利度の異なる１又は複数の当選役グループ（以下、「押し順ベル」と記載する。）の当選となったときに、当選した押し順ベルに対応する有利な各ストップスイッチ２１Ｌ，２１Ｍ，２１Ｒの操作手順（押し順）を特定可能に報知するＡＴ遊技（特殊遊技）がある。遊技制御手段１００は、ＡＴ許容状態、かつ、ＡＴ期間（特殊遊技継続期間）中の遊技において、役抽選手段１０３の役抽選により押し順ベルの当選となった場合はＡＴ遊技を行う。
【００６５】
遊技制御手段１００は、ＡＴ遊技を許容しないＡＴ非許容状態（特殊遊技非許容状態）、および、ＡＴ遊技を許容するＡＴ許容状態（特殊遊技許容状態）のいずれか１つにスロットマシン１の状態を設定する。スロットマシン１をＡＴ非許容状態からＡＴ許容状態へ移行するか否かの抽選（ＡＴ許容移行抽選）を行う契機役としてのＡＴ許容役グループ（役抽選手段１０３による役抽選の対象となる当選役グループのうちの予め定められた１または複数の当選役グループ）に当選し、ＡＴ許容役グループに当選して行われるＡＴ許容移行抽選によりスロットマシン１をＡＴ非許容状態からＡＴ許容状態へ移行することが決定された場合、遊技制御手段１００はスロットマシン１をＡＴ許容状態に設定するとともに、ＡＴ遊技を実行する権利のゲーム数を例えば予め決められたゲーム数に決定する。また、遊技制御手段１００は、ＡＴ遊技を実行する権利のゲームが０になるというＡＴ許容状態の終了条件が成立した場合、スロットマシン１をＡＴ許容状態からＡＴ非許容状態に設定する。
【００６６】
（２）設定制御手段１０１
図１２の設定制御手段１０１は、払出率の異なる複数の設定値（設定１〜設定６）から一の設定値を設定するものである。この設定値は、後述するテーブル選択手段１０２により選択される役抽選テーブル６７１を選択するためのものであり、ＲＯＭ６７に格納された複数の役抽選テーブル６７１のそれぞれに各設定値のいずれかが対応付けられている。そして、設定制御手段１０１は、電源投入時（電源スイッチ５０をＯＮにした時）に変更処理開始スイッチ５６のＯＮ、ＯＦＦ状態を判定し、変更処理開始スイッチ５６がＯＮの状態で電源が投入されると、所定の設定変更処理を開始する。そして、上記設定変更処理が開始されると、スロットマシン１を設置するパチンコホールの管理者が、この設定値を変更することが可能になる。このときにリセットスイッチ５２が用いられ、設定変更処理が開始された後に、リセットスイッチ５２が押される度に、設定値が１ずつ増加して変更できるようになっている。なお、設定６のときにリセットスイッチ５２が押されると、設定１に戻る。
【００６７】
（３）テーブル選択手段１０２
図１２のテーブル選択手段１０２は、設定制御手段１０１により設定される設定値（設定１〜設定６）に基づき、図１２に示す複数の役抽選テーブル６７１から１つの抽選テーブルを選択するものである。
【００６８】
（４）役抽選手段１０３
図１２の役抽選手段１０３は、スタートスイッチ１９が操作されて遊技を開始するタイミングで、予め設定された複数の当選役グループのうちのいずれの当選役グループに当選したか否かを、遊技開始に基づいて抽選値を生成して当該抽選値により決定する役抽選を行うものである。また、役抽選手段１０３は、ＡＴ非許容状態である場合において、役抽選によりＡＴ許容役グループ（複数の当選役グループのうちの予め定められた１または複数の当選役グループ）に当選したときには、役抽選に用いられる抽選値と同じ抽選値を用いて、スロットマシン１をＡＴ非許容状態からＡＴ許容状態へ移行するか否かの抽選（ＡＴ許容移行抽選）を行う。
【００６９】
なお、役の種類として、ボーナス役と、再遊技役と、小役とが予め設定されている。ボーナス役は、ボーナス遊技状態への移行役である。再遊技役は、入賞すると、新たなメダルを投入することなく当該入賞遊技と同じ賭数で次遊技行うことができる役である。小役は、入賞すると所定の配当（払出数）が得られる役である。また、当選役グループの種類として、１または複数のボーナス役により構成される当選役グループ、１または複数の再遊技役で構成される当選役グループ、１または複数の小役により構成される当選役グループなどが予め設定されている。
【００７０】
（５）扉開閉検出手段１０４
図１２の扉開閉検出手段１０４は、図１１の扉センサ８５から入力される検知信号に基づいて前面扉５が開いているか、閉じているかを検出する。
【００７１】
（６）停止制御手段１０５
図１２の停止制御手段１０５は、遊技者による各ストップスイッチ２１Ｌ，２１Ｍ，２１Ｒの操作態様と役抽選手段１０３の役抽選結果とに基づき、停止テーブル６７２を用いて各リール１３Ｌ，１３Ｍ，１３Ｒの停止制御を行うものである。
【００７２】
（７）報知表示制御手段１０６
図１２の報知表示制御手段１０６は、報知用表示器６０での報知が報知態様決定手段１０７で決定された報知態様となるように制御するものである。
【００７３】
（８）報知態様決定手段１０７
図１２の報知態様決定手段１０７は、役抽選手段１０３の役抽選結果やスロットマシン１の状態（ＡＴ非許容状態、ＡＴ許容状態にＡＴ準備中、ＡＴ許容状態におけるＡＴ期間中）などに基づいて、報知用表示器６０での報知態様を決定するものである。報知態様決定手段１０７が決定した報知態様については、コマンド作成手段１０８によりその種類を特定可能なコマンドが作成され、サブ制御基板７３に送信される。例えば、ＡＴ期間中に押し順ベルに内部当選した場合は、その種類に応じて設定された有利な押し順を報知するという報知態様に決定する。
【００７４】
（９）コマンド作成手段１０８
図１２のコマンド作成手段１０８は、一般遊技状態およびボーナス遊技状態などの遊技状態、スロットマシン１のＡＴ非許容状態／ＡＴ許容状態に関する情報、役抽選手段１０３におけるボーナス役や押し順ベルなどの役抽選結果に関する情報、各ストップスイッチ２１Ｌ，２１Ｍ，２１Ｒ、スタートスイッチ１９などの遊技者により操作される操作器具の操作に関する情報、扉開閉検出手段１０４の検出結果に基づく前面扉５の開閉に関する情報（前面扉５が開けられたこと、前面扉５が閉じられたこと）などの種々の情報をサブ制御基板７３（サブＣＰＵ７１）に送信するためのコマンドを生成するものである。そして、コマンド作成手段１０８により生成されたコマンドは、後述するようにコマンド送信手段１１３によりサブ制御基板７３に送信される。サブ制御基板７３では、メイン制御基板６３から送られてきたコマンドに基づき、実行する演出を選択する。換言すれば、サブ制御基板７３において実行される演出内容を指示するコマンドがコマンド作成手段１０８により作成される。
【００７５】
また、コマンド作成手段１０８は、スロットマシン１の状態および役抽選手段１０３の役抽選結果に基づいて、報知用表示器６０の報知態様に対応するコマンドを作成する。例えば、役抽選手段１０３の役抽選結果（当選役グループの識別番号）を構成する役の種類を特定可能なコマンドを作成するとともに、報知用表示器６０の報知態様の種類を特定可能なコマンドを作成する。
【００７６】
（１０）リール検出手段１０９
図１２のリール検出手段１０９は、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出するものである。この場合、リール検出手段１０９は、左・中・右リール１３Ｌ，１３Ｍ，１３Ｒの回転中および回転停止時に、所定の基準位置（この実施形態では例えば、表示窓１１の下段）に位置する図柄に対応するコマ番号をそれぞれ検出する。
【００７７】
（１１）図柄判定手段１１０
図１２の図柄判定手段１１０は、各リール１３Ｌ，１３Ｍ，１３Ｒそれぞれの回転位置に基づき、停止制御手段１０５により停止制御されて停止した各リール１３Ｌ，１３Ｍ，１３Ｒの図柄の表示態様が、予め定められた表示態様であるかどうかの判定を行うものであり、リール１３Ｌ，１３Ｍ，１３Ｒが停止したときの図柄の表示結果が所定の入賞態様であるかどうかを判定する。
【００７８】
（１２）払出制御手段１１１
図１２の払出制御手段１１１は、図柄判定手段１１０による判定結果に基づき、遊技者に所定の特典（利益）を付与するものであり、図柄判定手段１１０により、いずれかの役に入賞したと判定されたときに、メダルの払い出しのある入賞であれば、クレジットメダルの貯留枚数が上限値（この実施形態では例えば５０枚）に達した後は、ホッパーユニット４３を動作させ、入賞した役に対応した払出数だけメダルを払い出して遊技者に利益を付与する。また、払出制御手段１１１は、クレジットメダルの貯留枚数が上限値に達するまでは、メダルの払い出しとして、ホッパーユニット４３の動作に代えて上記払出数だけクレジットメダルを増加させる。さらに、払出制御手段１１１は、図柄判定手段１１０により再遊技役に入賞したと判定されたときに、規定数（３枚）のメダルが投入されたものとして次遊技の入賞ラインを有効とする。
【００７９】
（１３）メダル制御手段１１２
図１２のメダル制御手段１１２は、メダルセレクタ４８の動作を制御することにより、メダル受入可と受入不可とを切換えるものである。
【００８０】
（１４）コマンド送信手段１１３
図１２のコマンド送信手段１１３は、メイン制御基板６３からサブ制御基板７３へ、コマンド作成手段１０８により作成された種々の情報を含むコマンドを一方通行で送信するものである。この場合、一般遊技状態およびボーナス遊技状態などの遊技状態、スロットマシン１のＡＴ非許容状態／ＡＴ許容状態に関する情報、役抽選手段１０３におけるボーナス役や押し順ベルなどの役抽選結果、前面扉５の開閉に関する情報（前面扉５が開けられたこと、前面扉５が閉じられたこと）、図柄判定手段１１０による図柄判定結果、各リール１３Ｌ，１３Ｍ，１３Ｒの回転・停止状態、払出制御手段１１１によるメダルの払出状態などのスロットマシン１の状態を表す情報を含むコマンドをサブ制御基板７３へ送信する。
【００８１】
また、コマンド送信手段１１３は、投入センサ５３による投入メダルの検出状態、ベットスイッチ１５および最大ベットスイッチ１７の操作状態などを表すデータを含むコマンドをサブ制御基板７３に送信する。また、コマンド送信手段１１３は、スタートスイッチ１９およびストップスイッチ２１Ｌ，２１Ｍ，２１Ｒなどの各種スイッチが遊技者により操作されたことを示すデータを含むコマンドをサブ制御基板７３に送信する。
【００８２】
（サブ制御基板）
次に、サブ制御基板７３について詳細に説明する。図１２のサブ制御基板７３は、メイン制御基板６３から送信されたコマンドを受信し、メイン制御基板６３の動作や状態に応じた演出を行うものである。サブ制御基板７３は、メモリ７５（図１１参照）に格納されたプログラムを実行することにより実現される種々の機能や、ハードウェアが制御されることにより実現される種々の機能を備えている。
【００８３】
（１）コマンド受信手段２００
図１２のコマンド受信手段２００は、メイン制御基板６３により送信された種々の情報を含むコマンドを受信するものである。コマンド受信手段２００は、メイン制御基板６３から送信されるコマンドを受信すれば、コマンドの種類に応じてサブ制御基板７３が備える各機能に通知を行う。
【００８４】
（２）演出内容決定手段２０１
図１２の演出内容決定手段２０１は、コマンド受信手段２００により受信されたコマンドに応じて、演出の内容を決定するためのものである。具体的には、遊技の進行、スロットマシン１のＡＴ非許容状態／ＡＴ許容状態に関する情報、ボーナス役や押し順ベルなどの役抽選結果などに対応して予め設定された演出パターンから、液晶表示器２７に表示される動画を決定したり、ポンプ演出ユニット３５０による噴出演出の実行を決定したり、スピーカ３１Ｌ，３１Ｒから流れる音楽や音声を決定したり、上部ランプ部３３や下部ランプ部３７Ｌ，３７Ｒの光源を一斉にあるいは個別に点滅したりするなどの演出を決定したりする。また、演出内容決定手段２０１は、報知用表示器６０の報知態様（例えば、ＡＴ期間中に押し順ベルに内部当選した場合は、その種類に応じて設定された有利な押し順を報知するという報知態様）に対応する報知演出を実行する演出内容に決定する。
【００８５】
例えば、演出内容決定手段２０１は、ＡＴ期間中に押し順ベルに内部当選した場合は、その種類に応じて設定された有利な押し順を液晶表示器２７に表示するという演出内容に決定する。また、演出内容決定手段２０１は、例えば、遊技者がメダルの払い出しを受けやすくなるなど遊技者が遊技媒体の払い出しを受けることができる期待度が高いチャンス状態にスロットマシン１がなった場合（例えば、役抽選結果が１または複数のボーナス役を構成役とする１または複数の当選役グループに内部当選したことを示す場合、ＡＴ非許容状態／ＡＴ許容状態に関する情報がスロットマシン１をＡＴ非許容状態からＡＴ許容状態に移行することが決定されたことを示す場合など）、遊技者がメダルの払い出しを受けやすくなる可能性があるなど遊技者が遊技媒体の払い出しを受けることができる期待度が高い可能性があるチャンス状態にスロットマシン１がなった場合（例えば、役抽選結果がボーナスに同時に当選している可能性がある当選役グループに内部当選した場合、役抽選結果がＡＴ許容移行抽選が行われるＡＴ許容役グループに内部当選した場合など）、チャンス示唆演出として噴出演出の実行を決定する。
【００８６】
具体的には、演出内容決定手段２０１は、第１水路４１０ａの噴出口４１１ａから下層液体３２０を噴出させる第１噴出演出の実行条件を満たした場合（例えば、役抽選結果が第１噴出演出用に予め定められた１または複数の当選役グループに当選したことを示す場合）、第１噴出演出の実行を決定する。また、演出内容決定手段２０１は、第２水路４１０ｂの噴出口４１１ｂから下層液体３２０を噴出させる第２噴出演出の実行条件を満たした場合（例えば、役抽選結果が第２噴出演出用に予め定められた１または複数の当選役グループに当選したことを示す場合）、第２噴出演出の実行を決定する。なお、噴出演出を、スロットマシン１に設定されている設定値を示唆する示唆演出、プレミア演出などに用いてもよい。
【００８７】
噴出演出は、ポンプ演出ユニット３５０の噴出口４１１ａ，４１１ｂから上方向に向かって下層液体３２０が噴出され、噴出口４１１ａ，４１１ｂの上方の部分とその付近の下層液体３２０の液面は大きく盛り上がり、該盛り上がり部分が上層液体３２５側に侵入する。下層液体３２０は、上層液体３２５よりも比重が重いので噴出停止後は、盛り上がり部分が下層液体３２０側に戻って通常状態に戻ることになる。
【００８８】
そして、演出内容決定手段２０１は、決定した演出内容に関するデータを含む信号を表示制御手段２０２、音声制御手段２０３、モータ駆動制御手段２０４に送信する。
【００８９】
（３）表示制御手段２０２
図１２の表示制御手段２０２は、演出内容決定手段２０１から送信された信号に含まれるデータに基づいて、液晶表示器２７に動画（画像）を表示したり、上部ランプ部３３や下部ランプ部３７Ｌ，３７Ｒなどの光源を一斉にあるいは個別に点滅したりするなどの制御を行うものである。
【００９０】
（４）音声制御手段２０３
図１２の音声制御手段２０３は、演出内容決定手段２０１から送信された信号に含まれるデータに基づいて、スピーカ３１Ｌ，３１Ｒから音楽を流したり、音声を出力したりするなど制御を行うものである。
【００９１】
（５）モータ駆動制御手段２０４
図１２のモータ駆動制御手段２０４は、演出内容決定手段２０１から送信された信号に含まれるデータに基づいて、ポンプ演出ユニット３５０による噴出演出を実行する場合に、ポンプ駆動用モータ２８の駆動制御を行うものである。例えば、モータ駆動制御手段２０４は、演出内容決定手段２０１が第１噴出演出を行うと決定した場合、所定時間、ポンプ駆動用モータ２８を反時計回り（逆回転）に回転させる制御を行う。この制御により下層液体３２０が第１水路４１０ａの噴出口４１１ａから上層液体３２５中へ噴出される第１噴出演出が実行される。また、モータ駆動制御手段２０４は、演出内容決定手段２０１が第２噴出演出を行うと決定した場合、所定時間、ポンプ駆動用モータ２８を時計回り（正回転）に回転させる制御を行う。この制御により下層液体３２０が第２水路４１０ｂの噴出口４１１ｂから上層液体３２５中へ噴出される第２噴出演出が実行される。
【００９２】
したがって、上記した実施形態によれば、１つのポンプ駆動用モータ２８の正逆回転により、インペラ５０３からの水流を第１水路４１０ａか第２水路４１０ｂかに選択的に導くことができるため、下層液体３２０を第１水路４１０ａの噴出口４１１ａから噴出させるか、第２水路４１０ｂの噴出口４１１ｂから噴出させるかを制御するのに、それぞれの噴出口４１１ａ，４１１ｂ用にインペラおよびモータを設ける必要ない。したがって、容器内の前記液体を流動させることにより演出を行う遊技機において、簡易な構成で液体流動を制御できる。
【００９３】
また、ポンプ駆動用モータ２８が正回転の場合は、カバー体４２０の規制ピン４２０ｅがインペラカバー６００の段差路６００ｇの一方端部に当接し、それ以上のインペラカバー６００の回転が規制されるため、インペラカバー６００の放出口６００ｅが第２水路４１０ｂの入口で停止する。一方、ポンプ駆動用モータ２８が逆回転の場合は、カバー体４２０の規制ピン４２０ｅがインペラカバー６００の段差路６００ｇの他方端部に当接し、それ以上のインペラカバー６００の回転が規制されるため、インペラカバー６００の放出口６００ｅが第１水路４１０ａの入口で停止する。したがって、ポンプ駆動用モータ２８が回転中であっても、放出口６００ｅの位置が所望の水路４１０ａ，４１０ｂの入口で固定されるため、インペラ５０３からの水流を第１水路４１０ａ側に導くのか、第２水路４１０ｂ側に導くのかの切り替えを容易に行うことができる。
【００９４】
＜第２実施形態＞
本発明の第２実施形態について、図１３〜図１７を参照して説明する。
【００９５】
この実施形態が第１実施形態と異なるところは、インペラおよびインペラカバーの構成が異なることと、インペラカバーをインペラ側に付勢するばね部材（本発明の「付勢部材」に相当）を備えることである。その他の構成は、第１実施形態と同じであるため、同一符号を付すことにより説明を省略する。
【００９６】
この実施形態のインペラ７０３は、図１５に示すように、円盤部７０３ａと、複数の羽根部７０３ｂとを備える。円盤部７０３ａは、各羽根部７０３ｂが凸設される一方面の径が、容器本体３０２の嵌合凹部３０６の底面３０６ａに当接する他方面の径よりも小さく形成される。すなわち、円盤部７０３ａの厚み方向の断面は、一方面から他方面に向かう方向に拡開するテーパ状に形成される。したがって、円盤部７０３ａの一方面と他方面の端縁同士を繋ぐ側面７０３ｆが傾斜する。また、円盤部７０３ａの中心には、第１実施形態と同様に、支持軸３０６ｂの挿通用の貫通孔７０３ｃが設けられる。各羽根部５０３ｂは、円盤部７０３ａの一方面の周方向に略等間隔で配列される。また、円盤部７０３ａの隣接する羽根部７０３ｂの間それぞれには、磁石７０３ｅを配設するための貫通孔７０３ｄが形成され、該貫通孔７０３ｄに円柱状の磁石７０３ｅが嵌め込まれて固定される。なお、インペラ７０３は、他方面が容器本体３０２に設けられた嵌合凹部３０６の底面３０６ａに当接するように、嵌合凹部３０６に嵌め込まれ、インペラ７０３が支持軸３０６ｂを中心に回転すると、各羽根部７０３ｂも回転し水流が形成される。
【００９７】
インペラカバー８００は、円筒状部８００ａと、該円筒状部８００ａの一方口を閉塞するように設けられた閉塞部８００ｂとを有する。インペラカバー８００は、円筒状部８００ａがインペラ７０３を囲み、閉塞部８００ｂがインペラ７０３の円盤部７０３ａの一方面（羽根部７０３ｂ側の面）に対向するようにインペラ７０３に装着される。また、円筒状部８００ａは、図１６（ｂ）に示すように、内側面のうち、閉塞部８００ｂから遠い方の端部である開口部に傾斜面８００ｈが形成される。つまり、インペラカバー８００をインペラ７０３に装着し、インペラカバー８００を後述するばね部材９０で付勢すると、当該傾斜面８００ｈがインペラ７０３の円盤部７０３ａの側面７０３ｆに当接するようになっている（図１４参照）。
【００９８】
また、閉塞部８００ｂの中心には、インペラカバー８００とインペラ７０３との隙間に下層液体３２０を供給するための円形の供給口８００ｃが形成される。また、供給口８００ｃの外側には、インペラカバー閉塞部４２０ａの供給口４２０ｄに嵌合するリブ８００ｆが形成される。閉塞部８００ｂの外側面（インペラ７０３との対向面と反対側の面）の周縁には、約２４０°に亘って段差路８００ｇが設けられている（図１６（ａ）参照）。この段差路８００ｇは、第１実施形態と同様、インペラカバー８００の回転範囲を規定するものである。さらに、閉塞部８００ｂのインペラ７０３との対向面には、複数のカバー側羽根部８００ｄが形成される（図１６（ｂ）参照）。また、円筒状部８００ａの所定位置に矩形状の放出口８００ｅが形成され、供給口８００ｃから供給された下層液体３２０を当該放出口８００ｅから、第１水路４１０ａの入り口または第２水路４１０ｂの入り口に放出できるようになっている。
【００９９】
また、インペラカバー８００は、カバー体４２０が装着された状態では、カバー体４２０とインペラカバー８００との間にばね部材９０が配設される。ばね部材９０は、円環状の金属板で形成されている（図１７参照）。また、ばね部材９０の内径は、インペラカバー８００の供給口８００ｃよりも大きい径で形成されており、ばね部材９０が、インペラカバー８００の閉塞部８００ｂの外側面（インペラ７０３との対向面と反対側の面）と、カバー体４２０の内側面とに当接するように配置される。そして、インペラ７０３が回転していない状態では、インペラカバー８００がばね部材９０の付勢力によりインペラ７０３側に押されて、インペラカバー８００の円筒状部８００ａの傾斜面８００ｈが、インペラ７０３の円盤部７０３ａの側面に当接した状態となる。なお、ばね部材９０は金属に限らず、ゴム等の弾性体で形成することができる。
【０１００】
次に、ポンプ駆動用モータ２８の回転時の動作について説明する。ポンプ駆動用モータ２８が回転し始めた場合、当該モータ２８の回転軸２８ａに取り付けられた駆動マグネット部５０４も回転する。駆動マグネット部５０４には周方向に複数の磁石５０４ｃが固定されているため、インペラ７０３に固定された磁石７０３ｅと、駆動マグネット部５０４に固定された磁石５０４ｃとの吸引／反発作用により、容器本体３０２の背板３０２ａを挟んで配置されたインペラ７０３も回転する。このとき、インペラ７０３とインペラカバー８００とは、ばね部材９０の付勢力により当接しているため、両者の摩擦力によりインペラカバー８００も回転を開始する。インペラ７０３の回転速度が速くなると、インペラ７０３とインペラカバー８００との隙間の水圧が増す。これは、インペラカバー８００の供給口８００ｃの開口面積が、放出口８００ｅの面積よりも大きいことから、インペラ７０３とインペラカバー８００との隙間に供給される下層液体３２０の量が多くなると、その量と同じ量の下層液体３２０を放出口８００ｅから放出できなくなり、その差分が前記隙間内に溜まるためである。インペラ７０３とインペラカバー８００との隙間の水圧が増すと、ばね部材９０の付勢力に抗する応力が働く。すなわち、ばね部材９０の付勢力に抗して、インペラカバー８００をカバー体４２０側に押し込む応力が働く。
【０１０１】
これによると、ポンプ駆動用モータ２８の回転が開始して定常回転となる過程において、インペラ７０３とインペラカバー８００の動作は以下のようになる。ポンプ駆動用モータ２８が回転し始めの初期状態では、インペラ７０３とインペラカバー８００とは当接した状態であるため、インペラ７０３の回転に伴って、両者間の摩擦力によりインペラカバー８００が回転する。インペラカバー８００は規制ピン４２０ｅで規制されるまで回転する。ポンプ駆動用モータ２８の回転速度が増してくると、インペラ７０３とインペラカバー８００との隙間の水圧が増すため、インペラ７０３とインペラカバー８００との当接状態が次第に解除される。
【０１０２】
この実施形態によれば、第１実施形態の効果に加えて、インペラ７０３とインペラカバー８００とをばね部材９０の付勢により接触させることができるため、インペラ７０３の回転を動力としてインペラカバー８００の放出口８００ｅの位置の切り替えを容易に行うことができる。また、インペラカバー８００の放出口８００ｅの位置の切り替えが遅くなると、ポンプ駆動用モータ２８の正逆回転の切り替わり時に意図しない水路４１０ａ，４１０ｂ側に下層液体３２０が流れるおそれがある。しかしながら、この実施形態では、ポンプ駆動用モータ２８の正逆回転の切り替わり時には、インペラ７０３とインペラカバー８００とが当接した状態であるため、放出口８００ｅの位置の切り替わりが早くなり、このような不具合を防止することができる。
【０１０３】
また、インペラ７０３とインペラカバー８００とが当接した状態で回転していると、ポンプ駆動用モータ２８に付加がかかって、故障が発生するおそれがある。しかしながら、この実施形態では、インペラ７０３の回転速度が増加すると、インペラカバー８００とインペラ７０３との隙間の水圧が高くなって、インペラ７０３とインペラカバー８００との当接状態が解除されため、ポンプ駆動用モータ２８への負荷を軽減することができる。さらに、インペラ７０３とインペラカバー８００とが当接した状態で回転する時間を減らすことで、インペラ７０３およびインペラカバー８００の耐久性が向上する。
【０１０４】
なお、本発明は上記した実施形態に限定されるものではなく、その趣旨を逸脱しない限りにおいて上述したもの以外に種々の変更を行うことが可能である。
【０１０５】
例えば、上層液体３２５を空気などの気体に置き換え、ポンプ演出ユニット３５０は噴出演出において下層液体３２０を供給口６００ｃ，８００ｃから取り込んで噴出口４１１ａ，４１１ｂから空気などの気体中に噴出するようにしてもよい。
【０１０６】
また、上記した各実施形態では、本発明の遊技機としてスロットマシン１を例に挙げて説明したが、スロットマシンとパチンコ機とを組み合わせたパロットと称される遊技機に本発明を適用してもよく、このような遊技機に本発明を適用する場合、遊技用価値としての遊技球（パチンコ玉）を採用すればよい。さらに、本発明の遊技機を、コンピュータプログラムが実行されることによるビデオゲームに適用してもよい。また、本発明の表示手段を、液晶ディスプレイやＣＲＴなどの画像表示装置を用いて、この画像表示装置に複数の図柄を順次表示させることにより構成してもよい。また、可変表示列の数は２列以上であればよく、遊技の態様に応じて適宜最適な数の可変表示列を構成すればよい。
【０１０７】
また、上記した実施形態で説明した内容を適宜組み合わせてもよい。
【０１０８】
そして、液体を収容する容器を備え、該容器内の前記液体を流動させることにより演出を行う遊技機に本発明を広く適用することができる。
【符号の説明】
【０１０９】
１…スロットマシン（遊技機）
２８…ポンプ駆動用モータ
９０…ばね部材（付勢部材）
３０１…容器
３２０，３２５…液体
４１０ａ…第１水路
４１０ｂ…第２水路
４２０ｅ…規制ピン（導入口固定部材）
５０３，７０３…インペラ
６００，８００…インペラカバー（切替部材）
６００ｅ…放出口（導入口）
【図１】
2019051005.tif 000003
【図２】
2019051005.tif 000004
【図３】
2019051005.tif 000005
【図４】
2019051005.tif 000006
【図５】
2019051005.tif 000007
【図６】
2019051005.tif 000008
【図７】
2019051005.tif 000009
【図８】
2019051005.tif 000010
【図９】
2019051005.tif 000011
【図１０】
2019051005.tif 000012
【図１１】
2019051005.tif 000013
【図１２】
2019051005.tif 000014
【図１３】
2019051005.tif 000015
【図１４】
2019051005.tif 000016
【図１５】
2019051005.tif 000017
【図１６】
2019051005.tif 000018
【図１７】
2019051005.tif 000019